(57)【要約】  設定グラントベースのＵＬ送信が設定される場合であっても、通信を適切に行うために、本開示の一態様に係るユーザ端末は、下り制御情報でスケジューリングされる第１の上り共有チャネルを復調する第１の復調用参照信号（ＤＭＲＳ）と、下り制御情報でスケジューリングされない第２の上り共有チャネルを復調する第２のＤＭＲＳとを送信する送信部と、別々に設定された上位レイヤパラメータに基づいて前記第１のＤＭＲＳの系列と前記第２のＤＭＲＳの系列の生成をそれぞれ制御する制御部と、を有する。
2020031385.tif 000002
【特許請求の範囲】
【請求項１】
下り制御情報でスケジューリングされる第１の上り共有チャネルを復調する第１の復調用参照信号（ＤＭＲＳ）と、下り制御情報でスケジューリングされない第２の上り共有チャネルを復調する第２のＤＭＲＳとを送信する送信部と、
別々に設定された上位レイヤパラメータに基づいて前記第１のＤＭＲＳの系列と前記第２のＤＭＲＳの系列の生成をそれぞれ制御する制御部と、を有することを特徴とするユーザ端末。
【請求項２】
前記第１のＤＭＲＳ対応するスクランブリングＩＤに関連する情報と、前記第２のＤＭＲＳに対応するスクランブリングＩＤに関連する情報とを別々に受信する受信部と、を有することを特徴とする請求項１に記載のユーザ端末。
【請求項３】
前記受信部は、前記第１のＤＭＲＳに対応するスクランブルＩＤの番号を指定する情報を下り制御情報で受信し、前記第２のＤＭＲＳに対応するスクランブルＩＤの番号を指定する情報を上位レイヤシグナリングで受信することを特徴とする請求項１又は請求項２のいずれかに記載のユーザ端末。
【請求項４】
前記制御部は、前記第１の上り共有チャネルに設定される複数のマッピングタイプに対して上位レイヤシグナリングでそれぞれ別々に通知される情報に基づいて前記第１のＤＭＲＳの系列の生成を行うことを特徴とする請求項１から請求項３のいずれかに記載のユーザ端末。
【請求項５】
下り制御情報でスケジューリングされる第１の上り共有チャネルを復調する第１の復調用参照信号（ＤＭＲＳ）と、下り制御情報でスケジューリングされない第２の上り共有チャネルを復調する第２のＤＭＲＳとを送信する工程と、
別々に設定された上位レイヤパラメータに基づいて前記第１のＤＭＲＳの系列と前記第２のＤＭＲＳの系列の生成をそれぞれ制御する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１３、１４又は１５以降などともいう）も検討されている。【０００３】
既存のＬＴＥシステム（例えば、ＬＴＥ  Ｒｅｌ．８−１３）においては、ＵＥからｅＮＢに対して、上りリンク信号が適切な無線リソースにマッピングされて送信される。上りユーザデータは、上り共有チャネル（ＰＵＳＣＨ：Physical  Uplink  Shared  Channel）を用いて送信される。また、上り制御情報（ＵＣＩ：Uplink  Control  Information）は、上りユーザデータと共に送信される場合はＰＵＳＣＨを用いて、単独で送信される場合は上り制御チャネル（ＰＵＣＣＨ：Physical  Uplink  Control  Channel）を用いて送信される。【０００４】
また、既存のＬＴＥシステムでは、上り共有チャネル（ＰＵＳＣＨ）の送信にあたっては、当該チャネルの復調用参照信号（ＤＭＲＳ：DeModulation  Reference  Signal）が送信される。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）では、ＵＬ送信について、動的グラントベース送信（dynamic  grant-based  transmission）及び設定グラントベース送信（configured  grant-based  transmission）が検討されている。【０００７】
しかしながら、タイプが異なるＰＵＳＣＨ送信が導入される場合、当該ＰＵＳＣＨの復調に用いられるＤＭＲＳ（例えば、系列生成等）をどのように制御するかが問題となる。設定グラントベースのＰＵＳＣＨの導入にあたりＤＭＲＳの生成等を適切に制御できない場合、通信品質が低下するおそれがある。【０００８】
そこで、本開示は、設定グラントベースのＵＬ送信が設定される場合であっても、通信を適切に行うことができるユーザ端末及び無線通信方法を提供することを目的の１つとする。
【課題を解決するための手段】
【０００９】
本開示の一態様に係るユーザ端末は、下り制御情報でスケジューリングされる第１の上り共有チャネルを復調する第１の復調用参照信号（ＤＭＲＳ）と、下り制御情報でスケジューリングされない第２の上り共有チャネルを復調する第２のＤＭＲＳとを送信する送信部と、別々に設定された上位レイヤパラメータに基づいて前記第１のＤＭＲＳの系列と前記第２のＤＭＲＳの系列の生成をそれぞれ制御する制御部と、を有することを特徴とする。
【発明の効果】
【００１０】
本開示の一態様によれば、設定グラントベースのＵＬ送信が設定される場合であっても、通信を適切に行うことができる。
【図面の簡単な説明】
【００１１】
【図１】図１は、動的グラントベースと設定グラントベースのＰＵＳＣＨに対するＤＭＲＳの系列生成の一例を示す図である。
【図２】図２は、動的グラントベースと設定グラントベースのＰＵＳＣＨに対するＤＭＲＳの系列生成の他の例を示す図である。
【図３】図３は、動的グラントベースと設定グラントベースのＰＵＳＣＨに対するＤＭＲＳの系列生成の他の例を示す図である。
【図４】図４は、一実施形態に係る無線通信システムの概略構成の一例を示す図である。
【図５】図５は、一実施形態に係る基地局の全体構成の一例を示す図である。
【図６】図６は、一実施形態に係る基地局の機能構成の一例を示す図である。
【図７】図７は、一実施形態に係るユーザ端末の全体構成の一例を示す図である。
【図８】図８は、一実施形態に係るユーザ端末の機能構成の一例を示す図である。
【図９】図９は、一実施形態に係る基地局及びユーザ端末のハードウェア構成の一例を示す図である。
【発明を実施するための形態】
【００１２】
＜動的グラントベース送信及び設定グラントベース送信（タイプ１、タイプ２）＞
ＮＲのＵＬ送信について、動的グラントベース送信（dynamic  grant-based  transmission）及び設定グラントベース送信（configured  grant-based  transmission）が検討されている。
【００１３】
動的グラントベース送信は、動的なＵＬグラント（dynamic  grant、dynamic  UL  grant）に基づいて、上り共有チャネル（例えば、ＰＵＳＣＨ（Physical  Uplink  Shared  Channel））を用いてＵＬ送信を行う方法である。
【００１４】
設定グラントベース送信は、上位レイヤによって設定されたＵＬグラント（例えば、設定グラント（configured  grant）、configured  UL  grantなどと呼ばれてもよい）に基づいて、上り共有チャネル（例えば、ＰＵＳＣＨ）を用いてＵＬ送信を行う方法である。設定グラントベース送信は、ＵＥに対して既にＵＬリソースが割り当てられており、ＵＥは設定されたリソースを用いて自発的にＵＬ送信できるため、低遅延通信の実現が期待できる。
【００１５】
動的グラントベース送信は、動的グラントベースＰＵＳＣＨ（dynamic  grant-based  ＰＵＳＣＨ）、動的グラントを伴うＵＬ送信（UL  Transmission  with  dynamic  grant）、動的グラントを伴うＰＵＳＣＨ（PUSCH  with  dynamic  grant）、ＵＬグラントありのＵＬ送信（UL  Transmission  with  UL  grant）、ＵＬグラントベース送信（UL  grant-based  transmission）、動的グラントによってスケジュールされる（送信リソースを設定される）ＵＬ送信などと呼ばれてもよい。
【００１６】
設定グラントベース送信は、設定グラントベースＰＵＳＣＨ（configured  grant-based  ＰＵＳＣＨ）、設定グラントを伴うＵＬ送信（UL  Transmission  with  configured  grant）、設定グラントを伴うＰＵＳＣＨ（PUSCH  with  configured  grant）、ＵＬグラントなしのＵＬ送信（UL  Transmission  without  UL  grant）、ＵＬグラントフリー送信（UL  grant-free  transmission）、設定グラントによってスケジュールされる（送信リソースを設定される）ＵＬ送信などと呼ばれてもよい。
【００１７】
また、設定グラントベース送信は、ＵＬ  セミパーシステントスケジューリング（ＳＰＳ：Semi-Persistent  Scheduling）の１種類として定義されてもよい。本開示において、「設定グラント」は、「ＳＰＳ」、「ＳＰＳ／設定グラント」などと互いに読み替えられてもよい。
【００１８】
設定グラントベース送信については、いくつかのタイプ（タイプ１、タイプ２など）が検討されている。
【００１９】
設定グラントタイプ１送信（configured  grant  type  1  transmission）において、設定グラントベース送信に用いるパラメータ（設定グラントベース送信パラメータ、設定グラントパラメータなどと呼ばれてもよい）は、上位レイヤシグナリングのみを用いてＵＥに設定される。
【００２０】
設定グラントタイプ２送信（configured  grant  type  2  transmission）において、設定グラントパラメータは、上位レイヤシグナリングによってＵＥに設定される。設定グラントタイプ２送信において、設定グラントパラメータの少なくとも一部は、物理レイヤシグナリング（例えば、後述のアクティベーション用下り制御情報（ＤＣＩ：Downlink  Control  Information））によってＵＥに通知されてもよい。
【００２１】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２２】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２３】
設定グラントパラメータは、ＲＲＣのConfiguredGrantConfig情報要素を用いてＵＥに設定されてもよい。設定グラントパラメータは、例えば設定グラントリソースを特定する情報を含んでもよい。設定グラントパラメータは、例えば、設定グラントのインデックス、時間オフセット、周期（periodicity）、トランスポートブロック（ＴＢ：Transport  Block）の繰り返し送信回数（繰り返し送信回数は、Ｋと表現されてもよい）、繰り返し送信で使用する冗長バージョン（ＲＶ：Redundancy  Version）系列、上述のタイマなどに関する情報を含んでもよい。
【００２４】
ここで、周期及び時間オフセットは、それぞれ、シンボル、スロット、サブフレーム、フレームなどの単位で表されてもよい。周期は、例えば、所定数のシンボルで示されてもよい。時間オフセットは、例えば所定のインデックス（スロット番号＝０及び／又はシステムフレーム番号＝０など）のタイミングに対するオフセットで示されてもよい。繰り返し送信回数は、任意の整数であってもよく、例えば、１、２、４、８などであってもよい。繰り返し送信回数がｎ（＞０）の場合、ＵＥは、所定のＴＢを、ｎ回の送信機会を用いて設定グラントベースＰＵＳＣＨ送信してもよい。
【００２５】
ＵＥは、設定グラントタイプ１送信を設定された場合、１つ又は複数の設定グラントがトリガされたと判断してもよい。ＵＥは、設定された設定グラントベース送信用のリソース（設定グラントリソース、送信機会（transmission  occasion）などと呼ばれてもよい）を用いて、ＰＵＳＣＨ送信を行ってもよい。なお、設定グラントベース送信が設定されている場合であっても、送信バッファにデータがない場合は、ＵＥは設定グラントベース送信をスキップしてもよい。
【００２６】
ＵＥは、設定グラントタイプ２送信を設定され、かつ所定のアクティベーション信号が通知された場合、１つ又は複数の設定グラントがトリガ（又はアクティベート）されたと判断してもよい。当該所定のアクティベーション信号（アクティべーション用ＤＣＩ）は、所定の識別子（例えば、ＣＳ−ＲＮＴＩ：Configured  Scheduling  RNTI）でＣＲＣ（Cyclic  Redundancy  Check）スクランブルされるＤＣＩ（ＰＤＣＣＨ）であってもよい。なお、当該ＤＣＩは、設定グラントのディアクティベーション、再送などの制御に用いられてもよい。
【００２７】
ＵＥは、上位レイヤで設定された設定グラントリソースを用いてＰＵＳＣＨ送信を行うか否かを、上記所定のアクティベーション信号に基づいて判断してもよい。ＵＥは、設定グラントをディアクティベートするＤＣＩ又は所定のタイマの満了（所定時間の経過）に基づいて、当該設定グラントに対応するリソース（ＰＵＳＣＨ）を解放（リリース（release）、ディアクティベート（deactivate）などと呼ばれてもよい）してもよい。
【００２８】
なお、設定グラントベース送信がアクティベート（アクティブ状態である）場合であっても、送信バッファにデータがない場合は、ＵＥは設定グラントベース送信をスキップしてもよい。
【００２９】
なお、動的グラント及び設定グラントのそれぞれは、実際のＵＬグラント（actual  UL  grant）と呼ばれてもよい。つまり、実際のＵＬグラントは、上位レイヤシグナリング（例えば、ＲＲＣのConfiguredGrantConfig情報要素）、物理レイヤシグナリング（例えば、上記所定のアクティベーション信号）又はこれらの組み合わせであってもよい。
【００３０】
＜データマッピングタイプ＞
動的グラントで送信されるデータ（例えば、物理共有チャネル）の割当てとして、異なるリソースの割当てタイプ（例えば、タイプＡとタイプＢ）がサポートされている。例えば、上り共有チャネル（ＰＵＳＣＨ）に適用するマッピングタイプとして、ＰＵＳＣＨマッピングタイプＡと、ＰＵＳＣＨマッピングタイプＢがある。
【００３１】
ＰＵＳＣＨマッピングタイプＡでは、スロットにおけるＰＵＳＣＨの開始位置は予め設定された固定シンボル（例えば、シンボルインデックス＃０）から選択され、ＰＵＳＣＨの割当てシンボル数（ＰＵＳＣＨ長）は所定値（Ｙ）から１４までの範囲から選択される。
【００３２】
ＰＵＳＣＨマッピングタイプＡでは、ＰＵＳＣＨの開始位置は固定されるが、ＰＵＳＣＨ長（ここでは、Ｌ＝４）は柔軟に設定される。ＰＵＳＣＨマッピングタイプＡにおいて、ＰＵＳＣＨの復調に利用されるＤＭＲＳの少なくとも一つは、固定シンボル（例えば、シンボル＃０等）に配置されてもよい。ＰＵＳＣＨマッピングタイプＡでは、ＰＵＳＣＨが固定位置から開始されるため、少なくとも一つのＤＭＲＳの位置も当該ＰＵＳＣＨの開始位置に基づいて決定されてもよい。
【００３３】
ＰＵＳＣＨマッピングタイプＢでは、ＰＵＳＣＨの割当てシンボル数（ＰＵＳＣＨ長）は予め設定された候補シンボル数（１〜１４シンボル数）から選択され、スロットにおけるＰＵＳＣＨの開始位置はスロットのいずれかの場所（シンボル）に設定する。
【００３４】
ＰＵＳＣＨマッピングタイプＢでは、ＰＵＳＣＨの開始シンボル（Ｓ）と、当該開始シンボルから連続するシンボル数（Ｌ）が基地局からＵＥに通知される。開始シンボルから連続するシンボル数（Ｌ）はＰＵＳＣＨ長とも呼ぶ。ＰＵＳＣＨマッピングタイプＢでは、ＰＵＳＣＨの開始位置は柔軟に設定される。また、ＰＵＳＣＨマッピングタイプＢにおいて、ＰＵＳＣＨの復調に利用されるＤＭＲＳの少なくとも一つは、スロットにおけるＰＵＳＣＨの割当て位置に基づいて設定される構成としてもよい。また、マッピングタイプに応じて、異なる位置にＤＭＲＳが挿入されるものとしてもよい。
【００３５】
このように、ＮＲでは、タイプが異なるＰＵＳＣＨ送信がサポートされる。しかし、動的グラントベースのＰＵＳＣＨと設定グラントベースのＰＵＳＣＨの復調に用いられるＤＭＲＳ（例えば、系列生成、パラメータ等）をどのように制御するかが問題となる。
【００３６】
新たに導入される設定グラントベースのＰＵＳＣＨ用のＤＭＲＳを、動的グラントベースのＰＵＳＣＨ用のＤＭＲＳと同様（同じパラメータ）を利用して生成することも考えられる。しかし、動的グラントベースのＰＵＳＣＨには複数（例えば、２つ）のマッピングタイプが設定され、マッピングタイプ毎にＤＭＲＳ構成も異なるケースも生じる。かかる場合、設定グラントベースのＰＵＳＣＨ用のＤＭＲＳを適切に生成できないおそれもある。
【００３７】
そこで、本発明者らは、動的グラントベースのＰＵＳＣＨ用のＤＭＲＳと、設定グラントベースのＰＵＳＣＨ用のＤＭＲＳの生成（例えば、系列の生成）を、別々に設定された上位レイヤパラメータに基づいて制御することを着想した。
【００３８】
以下、本開示に係る実施形態について、図面を参照して詳細に説明する。各実施形態に係る無線通信方法は、それぞれ単独で適用されてもよいし、組み合わせて適用されてもよい。
【００３９】
（ＤＭＲＳ系列生成）
ＵＥは、動的グラントベースのＰＵＳＣＨ用のＤＭＲＳと、設定グラントベースのＰＵＳＣＨ用のＤＭＲＳの系列の生成を、それぞれ別々に設定された上位レイヤパラメータに基づいて制御してもよい。動的グラントベースのＰＵＳＣＨは、ＤＣＩでスケジューリングされるＰＵＳＣＨであってもよい。設定グラントベースのＰＵＳＣＨは、ＤＣＩでスケジューリングされないＰＵＳＣＨであってもよい。
【００４０】
例えば、ＵＥは、動的グラントベースのＰＵＳＣＨ送信を行う場合、基地局から通知される上位レイヤパラメータ＃Ａに基づいてＤＭＲＳの生成を行う（図１参照）。また、ＵＥは、設定グラントベースのＰＵＳＣＨ送信を行う場合、基地局から通知される上位レイヤパラメータ＃Ｂに基づいてＤＭＲＳの生成を行う。
【００４１】
第１の上位レイヤパラメータは、第１の情報要素（例えば、DMRS-UplinkConfig  IE）内に設定される上位レイヤパラメータ（例えば、scramblingID、又はnPUSCH-Identity）であってもよい。第２の上位レイヤパラメータは、第１の情報要素と異なる第２の情報要素（例えば、cg-DMRS-configuration  IE）内に設定される上位レイヤパラメータ（例えば、scramblingID、又はnPUSCH-Identity）であってもよい。
【００４２】
このように、動的グラントベースのＰＵＳＣＨ用のＤＭＲＳと設定グラントベースのＰＵＳＣＨ用のＤＭＲＳに対して、異なる情報要素にそれぞれ設定される上位レイヤパラメータを設定してＤＭＲＳの生成を行ってもよい。これにより、ＵＥは、動的グラントベースのＰＵＳＣＨ用のＤＭＲＳと設定グラントベースのＰＵＳＣＨ用のＤＭＲＳの系列をそれぞれ適切に生成することができる。
【００４３】
また、本実施の形態は、ＵＬ送信として異なる波形を利用して制御することができる。以下に、異なる波形（トランスフォームプリコーディングを設定（enabled）／非設定（disabled））を適用する場合のＤＭＲＳの生成について説明する。
【００４４】
＜トランスフォームプリコーディング＞
ＮＲでは、ＵＬ送信（例えば、ＰＵＳＣＨ送信）に対して、シングルキャリア波形であるＤＦＴ拡散ＯＦＤＭ（ＤＦＴ−ｓ−ＯＦＤＭ：Discrete  Fourier  Transform−Spread−Orthogonal  Frequency  Division  Multiplexing）波形と、マルチキャリア波形であるサイクリックプリフィクスＯＦＤＭ（ＣＰ−ＯＦＤＭ：Cyclic  Prefix−Orthogonal  Frequency  Division  Multiplexing）波形をサポートすることが想定される。
【００４５】
ＤＦＴ拡散ＯＦＤＭ波形は、ＤＦＴ拡散（ＤＦＴプリコーディング等ともいう）が適用される（with  DFT-spreading）ＵＬ信号等と言い換えることができ、ＣＰ−ＯＦＤＭ波形は、ＤＦＴ拡散が適用されない（without  DFT-spreading）ＵＬ信号等と言い換えてもよい。
【００４６】
ＤＦＴ拡散ＯＦＤＭ波形（以下、第１の波形とも記す）は、シングルキャリア波形であるので、ピーク対平均電力比（ＰＡＰＲ：Peak  to  Average  Power  Ratio）の増大を防止できる。また、ＤＦＴ拡散ＯＦＤＭ波形を適用する場合、上りデータ（ＰＵＳＣＨ）の割当てが連続する物理リソースブロック（ＰＲＢ：Physical  Resource  Block）に限定される。
【００４７】
ＵＬ送信（例えば、ＰＵＳＣＨ）に対して、ＤＦＴ拡散を適用するか否か（ＤＦＴ拡散ＯＦＤＭ波形（以下、第１の波形とも記す）、又はＣＰ−ＯＦＤＭ波形（以下、第２の波形とも記す）は、ネットワーク（例えば、無線基地局）からユーザ端末に設定（configure）又は指定（indicate）されることが想定される。
【００４８】
例えば、基地局は、上位レイヤシグナリング及び／又は下り制御情報を用いて、第１の波形の適用有無をユーザ端末に設定する。波形の設定は、トランスフォーム−プリコーディング（transform-precoding）とも呼ばれ、トランスフォーム−プリコーディングが“ｅｎａｂｌｅｄ”の場合には、第１の波形（ＤＦＴ拡散ＯＦＤＭ波形）を適用してＰＵＳＣＨの送信を行う。一方で、トランスフォーム−プリコーディングが“ｄｉｓａｂｌｅｄ”の場合には、ＵＥは、第１の波形を適用せずに（例えば、ＣＰ−ＯＦＤＭ波形を適用して）ＰＵＳＣＨの送信を行う。
【００４９】
ＰＵＳＣＨに対するトランスフォームプリコーディングが有効又は設定（ｅｎａｂｌｅｄ）の場合と、無効又は非設定（ｄｉｓａｂｌｅｄ）の場合において、参照信号（例えば、ＤＭＲＳ）の系列の生成方法は異なって定義される。
【００５０】
例えば、トランスフォームプリコーディングが有効の場合、ＤＭＲＳの系列（例えば、ｒ（ｎ）とも呼ぶ）は、系列グループ（ｕ）、系列番号（ｖ）等を用いて定義されてもよい。また、系列グループ（ｕ）は、グループホッピング（又は、グループホッピングのパラメータ）に相当するｆｇｈ等に基づいて定義されてもよい。また、グループホッピングと系列ホッピングの適用がサポートされている。
【００５１】
一方で、トランスフォームプリコーディングが無効の場合、ＤＭＲＳの系列（例えば、ｒ（ｎ）とも呼ぶ）は、系列グループ（ｕ）及び系列番号（ｖ）は利用せずに疑似ランダム系列（pseudo-random  sequence）及び当該疑似ランダム系列の初期値（ｃｉｎｉｔ）等に基づいて定義されてもよい。
【００５２】
ＵＥは、トランスフォームプリコーディングが有効の場合（適用時）と、無効の場合（非適用時）において、それぞれ異なる方法でＤＭＲＳに適用する系列を生成してもよい。以下に、トランスフォームプリコーディングが無効（ｄｉｓａｂｌｅｄ）の場合と、有効（ｅｎａｂｌｅｄ）の場合のＤＭＲＳの系列についてそれぞれ説明する。
【００５３】
＜トランスフォームプリコーディングが無効＞
トランスフォームプリコーディングが無効（ｄｉｓａｂｌｅｄ）に設定される（例えば、CP-OFDMに基づくＰＵＳＣＨ送信を行う）場合を想定する。ＵＥは、トランスフォームプリコーディングが無効に設定される場合、ＤＭＲＳに適用する系列は以下の式（１）で生成してもよい。
【００５４】
【数１】
2020031385.tif 000003
【００５５】
この場合、初期値の決定に含まれるパラメータとしてシンボルに関するパラメータｌが含まれているため、シンボルレベルで系列が生成される。なお、式（１）の疑似ランダム系列の初期値（ｃｉｎｉｔ）は、以下の式（２）で定義されてもよい。
【００５６】
【数２】
2020031385.tif 000004
【００５７】
式（２）において、ＵＥは、基地局から上位レイヤシグナリング（例えば、ＲＲＣシグナリング等）で通知される上位レイヤパラメータ（例えば、scramblingID0とscramblingID1）に基づいて、ＮID0（ｎSCID＝０）とＮID1（ｎSCID＝１）の値を取得してもよい。動的グラントベースと設定グラントベースで別々に上位レイヤパラメータを設定してＵＥに通知してもよい。
【００５８】
例えば、ＰＵＳＣＨがＰＤＣＣＨ（又は、ＤＣＩ）でスケジューリングされる動的グラントベースＰＵＳＣＨである場合、ＵＥは、第１の情報要素（例えば、DMRS-UplinkConfig  IE）内に設定される上位レイヤパラメータ（例えば、scramblingID0とscramblingID1）に基づいて、ＮID0とＮID1をそれぞれ取得する。ＰＤＳＣＨでスケジューリングされる動的グラントベースＰＵＳＣＨは、Ｃ−ＲＮＴＩでＣＲＣスクランブリングされるＤＣＩフォーマット（例えば、ＤＣＩフォーマット１＿０又はＤＣＩフォーマット０＿０）を利用するＰＤＣＣＨでスケジューリングされるＰＵＳＣＨであってもよい。
【００５９】
一方で、ＰＵＳＣＨがＰＤＣＣＨ（又は、ＤＣＩ）でスケジューリングされない設定グラントＰＵＳＣＨである場合、ＵＥは、第２の情報要素（例えば、cg-DMRS-configuration  IE）内に設定される上位レイヤパラメータ（例えば、scramblingID0とscramblingID1）に基づいて、ＮID0とＮID1をそれぞれ取得する。ＰＵＳＣＨがＰＤＣＣＨでスケジューリングされない設定グラントＰＵＳＣＨは、グラントなしのＵＬ送信であってもよい。
【００６０】
また、ｎSCIDの値（０又は１）は、基地局からＵＥに通知してもよい。ＵＥは、基地局からｎSCIDが通知されない場合には、ｎSCID＝０と想定してもよい。
【００６１】
ＰＵＳＣＨがＰＤＣＣＨでスケジューリングされる動的グラントベースＰＵＳＣＨである場合、基地局は、所定のＤＣＩ（例えば、ＰＵＳＣＨをスケジュールするＤＣＩフォーマット０＿１）を利用して、ｎSCIDの値（０又は１）をＵＥに通知してもよい。ＵＥは、ＰＵＳＣＨ送信に関連づけられたＤＣＩ（例えば、ＤＣＩフォーマット０＿１の場合）の所定ビットフィールド（例えば、DM-RS  initialization  field）に基づいて、ｎSCIDの値を決定してもよい（図２参照）。
【００６２】
一方で、ＰＵＳＣＨがＰＤＣＣＨ（又は、ＤＣＩ）でスケジューリングされない設定グラントＰＵＳＣＨである場合、基地局は、所定の情報要素（例えば、configuredGrantConfig）に含まれる上位レイヤパラメータ（例えば、dmrs-SeqInitialization）を利用して、ｎSCIDの値（０又は１）をＵＥに通知してもよい。ＵＥは、基地局から上位レイヤで通知される情報に基づいて、設定グラントベースのＰＵＳＣＨ用のＤＭＲＳに適用するｎSCIDの値を決定してもよい（図２参照）。
【００６３】
このように、動的グラントベースと設定グラントベースの送信方法を考慮して、所定情報（例えば、ｎSCID）の通知方法を別々に設定することにより、ＤＭＲＳの生成を適切に行うことが可能となる。なお、設定グラントベースのタイプ２を利用する場合には、設定グラントベースのＰＵＳＣＨをトリガするＤＣＩを利用してｎSCIDをＵＥに通知してもよい。
【００６４】
＜トランスフォームプリコーディングが有効＞
トランスフォームプリコーディングが有効（ｅｎａｂｌｅｄ）に設定される（例えば、DFT-s-OFDMに基づくＰＵＳＣＨ送信を行う）場合を想定する。ＵＥは、トランスフォームプリコーディングが有効に設定される場合、ＤＭＲＳに適用する系列は以下の式（３）で生成してもよい。
【００６５】
【数３】
2020031385.tif 000005
【００６６】
また、トランスフォームプリコーディングが有効の場合、ＤＭＲＳの系列（例えば、ｒ（ｎ））は、グループホッピング（又は、グループホッピングのパラメータ）に相当するｆｇｈ、所定の識別子（例えば、nIDRS）により決定される系列グループ（ｕ）等を用いて定義されてもよい。系列グループ（ｕ）は以下の式（４）で定義されてもよい。
【００６７】
【数４】
2020031385.tif 000006
【００６８】
式（４）において、nIDRSは、上位レイヤシグナリングで通知される値（例えば、nIDPUSCH）で決定されてもよい。例えば、ＵＥは、基地局から上位レイヤシグナリングで通知される上位レイヤパラメータ（例えば、nPUSCH-Identity）に基づいて、nIDRS（＝nIDPUSCH）の値を取得してもよい。動的グラントベースと設定グラントベースで別々に上位レイヤパラメータを設定してＵＥに通知してもよい。
【００６９】
例えば、ＰＵＳＣＨがＰＤＣＣＨ（又は、ＤＣＩ）でスケジューリングされる動的グラントベースＰＵＳＣＨである場合、ＵＥは、第１の情報要素（例えば、DMRS-UplinkConfig  IE）内に設定される上位レイヤパラメータ（例えば、nPUSCH-Identity）に基づいて、nIDPUSCHを取得してもよい。
【００７０】
一方で、ＰＵＳＣＨがＰＤＣＣＨ（又は、ＤＣＩ）でスケジューリングされない設定グラントＰＵＳＣＨである場合、ＵＥは、第２の情報要素（例えば、cg-DMRS-configuration  IE）内に設定される上位レイヤパラメータ（例えば、nPUSCH-Identity）に基づいて、nIDPUSCHを取得してもよい。ＰＵＳＣＨがＰＤＣＣＨでスケジューリングされない設定グラントＰＵＳＣＨは、グラントなしのＵＬ送信であってもよい。
【００７１】
このように、動的グラントベースのＰＵＳＣＨ用のＤＭＲＳと設定グラントベースのＰＵＳＣＨ用のＤＭＲＳに対して、異なる情報要素にそれぞれ設定される上位レイヤパラメータを設定してＤＭＲＳの生成を行ってもよい。これにより、ＵＥは、動的グラントベースのＰＵＳＣＨ用のＤＭＲＳと設定グラントベースのＰＵＳＣＨ用のＤＭＲＳの系列をそれぞれ適切に生成することができる。
【００７２】
＜バリエーション＞
上記説明では、ＰＵＳＣＨがＰＤＣＣＨ（又は、ＤＣＩ）でスケジューリングされる動的グラントベースＰＵＳＣＨである場合に情報要素として「DMRS-UplinkConfig」を定義する場合を示したが、これに限られない。例えば、ＰＵＳＣＨのマッピングタイプ（タイプＡ、タイプＢ）を考慮して、動的グラントベースＰＵＳＣＨ用のＤＭＲＳ用にタイプＡとタイプＢにそれぞれ対応する情報要素（又は、上位レイヤパラメータ）を規定してもよい。
【００７３】
例えば、動的グラントベースＰＵＳＣＨ用のＤＭＲＳに対して、各ＰＵＳＣＨマッピングタイプに対応する情報要素（例えば、「dmrs-UplinkForPUSCH-MappingTypeA」と「dmrs-UplinkForPUSCH-MappingTypeB」）を規定する（図３参照）。ＵＥは、動的グラントベースＰＵＳＣＨ用のＤＭＲＳに対して、マッピングタイプ毎に設定される上位レイヤパラメータに基づいて、ＤＭＲＳの生成を行ってもよい。この場合、上記説明において、「DMRS-UplinkConfig」を「dmrs-UplinkForPUSCH-MappingTypeA」及び「dmrs-UplinkForPUSCH-MappingTypeB」の少なくとも一方に置き換えればよい。
【００７４】
（無線通信システム）
以下、本開示の実施形態に係る無線通信システムの構成について説明する。この無線通信システムでは、上記実施形態に示す無線通信方法の少なくとも一つ又はこれらの組み合わせを用いて通信が行われる。
【００７５】
図４は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００７６】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００７７】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity）をサポートしてもよい。ＭＲ−ＤＣは、ＬＴＥ（Ｅ−ＵＴＲＡ）の基地局（ｅＮＢ）がマスターノード（ＭＮ）となり、ＮＲの基地局（ｇＮＢ）がセカンダリーノード（ＳＮ）となるＬＴＥとＮＲとのデュアルコネクティビィティ（ＥＮ−ＤＣ：E-UTRA-NR  Dual  Connectivity）、ＮＲの基地局（ｇＮＢ）がＭＮとなり、ＬＴＥ（Ｅ−ＵＴＲＡ）の基地局（ｅＮＢ）がＳＮとなるＮＲとＬＴＥとのデュアルコネクティビィティ（ＮＥ−ＤＣ：NR-E-UTRA  Dual  Connectivity）等を含んでもよい。
【００７８】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００７９】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００８０】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【００８１】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００８２】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【００８３】
例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【００８４】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【００８５】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【００８６】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【００８７】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００８８】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００８９】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００９０】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００９１】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【００９２】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【００９３】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００９４】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【００９５】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００９６】
＜基地局＞
図５は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００９７】
下りリンクによって基地局１０からユーザ端末２０に送信されるユーザデータは、上位局装置３０から伝送路インターフェース１０６を介してベースバンド信号処理部１０４に入力される。
【００９８】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【００９９】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１００】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１０１】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１０２】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１０３】
なお、送受信部１０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦなどを適用できるように構成されてもよい。
【０１０４】
送受信部１０３は、送信ビームを用いて信号を送信してもよいし、受信ビームを用いて信号を受信してもよい。送受信部１０３は、制御部３０１によって決定された所定のビームを用いて信号を送信及び／又は受信してもよい。
【０１０５】
送受信部１０３は、上記各実施形態で述べた各種情報を、ユーザ端末２０から受信及び／又はユーザ端末２０に対して送信してもよい。例えば、送受信部１０３は、下り制御情報でスケジューリングされる第１の上り共有チャネルを復調する第１の復調用参照信号（ＤＭＲＳ）と、下り制御情報でスケジューリングされない第２の上り共有チャネルを復調する第２のＤＭＲＳとを受信する。
【０１０６】
また、送受信部１０３は、第１のＤＭＲＳ系列の生成に利用される上位レイヤパラメータ（又は、情報要素）と、第２のＤＭＲＳ系列の生成に利用される上位レイヤパラメータ（又は、情報要素）とを別々にＵＥに送信してもよい。
【０１０７】
図６は、一実施形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【０１０８】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１０９】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１１０】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１１１】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１１２】
制御部３０１は、動的グラントベース用の第１のＤＭＲＳ系列の生成に利用される上位レイヤパラメータ（又は、情報要素）と、設定グラントベース用の第２のＤＭＲＳ系列の生成に利用される上位レイヤパラメータ（又は、情報要素）とを別々にＵＥに設定してもよい。
【０１１３】
制御部３０１は、ベースバンド信号処理部１０４によるデジタルＢＦ（例えば、プリコーディング）及び／又は送受信部１０３によるアナログＢＦ（例えば、位相回転）を用いて、送信ビーム及び／又は受信ビームを形成する制御を行ってもよい。
【０１１４】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１１５】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１１６】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１１７】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１１８】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１１９】
測定部３０５は、受信した信号に関する測定を実施する。測定部３０５は、本開示に係る技術分野での共通認識に基づいて説明される測定器、測定回路又は測定装置から構成することができる。
【０１２０】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１２１】
＜ユーザ端末＞
図７は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１２２】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１２３】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１２４】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１２５】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１２６】
なお、送受信部２０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦなどを適用できるように構成されてもよい。
【０１２７】
送受信部２０３は、下り制御情報でスケジューリングされる第１の上り共有チャネルを復調する第１の復調用参照信号（ＤＭＲＳ）と、下り制御情報でスケジューリングされない第２の上り共有チャネルを復調する第２のＤＭＲＳとを送信してもよい。送受信部２０３は、動的グラントベース用の第１のＤＭＲＳ系列の生成に利用される上位レイヤパラメータ（又は、情報要素）と、設定グラントベース用の第２のＤＭＲＳ系列の生成に利用される上位レイヤパラメータ（又は、情報要素）とを別々に受信してもよい。
【０１２８】
また、送受信部２０３は、第１のＤＭＲＳ対応するスクランブリングＩＤ（例えば、nSCID）に関連する情報と、第２のＤＭＲＳに対応するスクランブリングＩＤに関連する情報とを別々に受信してもよい。また、送受信部２０３は、第１のＤＭＲＳに対応するスクランブルＩＤの番号を指定する情報を下り制御情報で受信し、第２のＤＭＲＳに対応するスクランブルＩＤの番号を指定する情報を上位レイヤシグナリングで受信してもよい。
【０１２９】
図８は、一実施形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１３０】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１３１】
制御部４０１は、ユーザ端末２０全体の制御を実施する。制御部４０１は、本開示に係る技術分野での共通認識に基づいて説明されるコントローラ、制御回路又は制御装置から構成することができる。
【０１３２】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１３３】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１３４】
制御部４０１は、ベースバンド信号処理部２０４によるデジタルＢＦ（例えば、プリコーディング）及び／又は送受信部２０３によるアナログＢＦ（例えば、位相回転）を用いて、送信ビーム及び／又は受信ビームを形成する制御を行ってもよい。
【０１３５】
また、制御部４０１は、別々に設定された上位レイヤパラメータに基づいて動的グラントベース用の第１のＤＭＲＳの系列と設定グラントベース用の第２のＤＭＲＳの系列の生成をそれぞれ制御してもよい。
【０１３６】
また、制御部４０１は、第１の上り共有チャネルに設定される複数のマッピングタイプに対して上位レイヤシグナリングでそれぞれ別々に通知される情報に基づいて第１のＤＭＲＳの系列の生成を行ってもよい。
【０１３７】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１３８】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１３９】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１４０】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１４１】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１４２】
測定部４０５は、受信した信号に関する測定を実施する。測定部４０５は、本開示に係る技術分野での共通認識に基づいて説明される測定器、測定回路又は測定装置から構成することができる。
【０１４３】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
送受信部２０３は、基地局１０に対して、ＢＦＲＱ、ＰＢＦＲＱなどを送信してもよい。
【０１４４】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１４５】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit/section）、送信機（transmitter）などと呼称されてもよい。いずれも、上述したとおり、実現方法は特に限定されない。
【０１４６】
例えば、本開示の一実施形態における基地局、ユーザ端末などは、本開示の無線通信方法の処理を行うコンピュータとして機能してもよい。図９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１４７】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０１４８】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１４９】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１５０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１５１】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１５２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１５３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１５４】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０１５５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１５６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１５７】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１５８】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１５９】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１６０】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１６１】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１６２】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１６３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１６４】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６５】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１６６】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１６７】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１６８】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１６９】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７０】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１７１】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１７２】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１７３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１７４】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１７５】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１７６】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１７７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７８】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１７９】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１８０】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１８１】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１８２】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１８３】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１８４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１８５】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１８６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１８７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１８９】
本開示において使用する「システム」及び「ネットワーク」という用語は、互換的に使用され得る。
【０１９０】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０１９１】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１９２】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１９３】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１９４】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１９５】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１９６】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０１９７】
同様に、本開示におけるユーザ端末は、基地局で読み替えてもよい。この場合、上述のユーザ端末２０が有する機能を基地局１０が有する構成としてもよい。
【０１９８】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１９９】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２００】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２０１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２０２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２０３】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２０４】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２０５】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２０６】
また、「判断（決定）」は、「想定する（assuming）」、「期待する（expecting）」、「みなす（considering）」などで読み替えられてもよい。
【０２０７】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２０８】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２０９】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２１０】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２１１】
本開示において、例えば、英語でのa,  an及びtheのように、翻訳によって冠詞が追加された場合、本開示は、これらの冠詞の後に続く名詞が複数形であることを含んでもよい。
【０２１２】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020031385.tif 000007
【図２】
2020031385.tif 000008
【図３】
2020031385.tif 000009
【図４】
2020031385.tif 000010
【図５】
2020031385.tif 000011
【図６】
2020031385.tif 000012
【図７】
2020031385.tif 000013
【図８】
2020031385.tif 000014
【図９】
2020031385.tif 000015
【国際調査報告】
2020031385.tif 000016
2020031385.tif 000017
2020031385.tif 000018
2020031385.tif 000019